(57)【要約】【課題】被検眼の複数の画像の効率的な表示を可能にする。【解決手段】例示的な実施形態に係る眼科装置は、第１画像取得部と、第２画像取得部と、表示制御部とを含む。第１画像取得部は、被検眼の断面を表す第１画像を取得する。第２画像取得部は、被検眼の第２画像を取得する。表示制御部は、第１画像を表示手段に表示させる。更に、表示制御部は、第１画像上に第２画像を表示させる。【選択図】図４Ａ
2019154992.tif 000002
【特許請求の範囲】
【請求項１】
被検眼の断面を表す第１画像を取得する第１画像取得部と、
前記被検眼の第２画像を取得する第２画像取得部と、
前記第１画像を表示手段に表示させ、且つ、前記第１画像上に前記第２画像を表示させる表示制御部と
を含む眼科装置。
【請求項２】
前記第１画像の部分領域を設定する部分領域設定部を更に含み、
前記表示制御部は、前記部分領域上に前記第２画像を表示させる
ことを特徴とする請求項１に記載の眼科装置。
【請求項３】
前記部分領域特定部は、前記第１画像を解析して関心領域を特定する関心領域特定部を含み、前記関心領域の外部に前記部分領域を設定する
ことを特徴とする請求項２に記載の眼科装置。
【請求項４】
前記第１画像は、前記被検眼の少なくとも眼底及び硝子体の断面を表す断面像であり、
前記関心領域特定部は、前記断面像中の眼底領域を前記関心領域として特定する
ことを特徴とする請求項３に記載の眼科装置。
【請求項５】
前記部分領域設定部は、前記第１画像を解析して非関心領域を特定する非関心領域特定部を含み、前記非関心領域の内部に前記部分領域を設定する
ことを特徴とする請求項２に記載の眼科装置。
【請求項６】
前記第１画像は、前記被検眼の少なくとも眼底及び硝子体の断面を表す断面像であり、
前記非関心領域特定部は、前記断面像中の硝子体領域及び眼球外領域の少なくとも一方を前記非関心領域として特定する
ことを特徴とする請求項５に記載の眼科装置。
【請求項７】
前記表示制御部は、前記部分領域設定部により設定された前記部分領域の寸法に基づいて前記第２画像の表示寸法を変更する
ことを特徴とする請求項２〜６のいずれかに記載の眼科装置。
【請求項８】
前記表示手段に表示された前記第１画像と前記第２画像とを単一の画像として記憶手段に保存する保存制御部を更に含む
ことを特徴とする請求項１〜７のいずれかに記載の眼科装置。
【請求項９】
前記第１画像取得部は、
前記被検眼に光コヒーレンストモグラフィ（ＯＣＴ）を適用してデータを収集するデータ収集部と、
前記データ収集部により収集された前記データに基づいて前記第１画像を形成する画像形成部と
を含む
ことを特徴とする請求項１〜８のいずれかに記載の眼科装置。
【請求項１０】
前記第２画像取得部は、前記第１画像を処理して前記第２画像を形成する画像処理部を含む
ことを特徴とする請求項１〜９のいずれかに記載の眼科装置。
【請求項１１】
前記画像処理部は、前記第１画像の一部の拡大画像を前記第２画像として形成する
ことを特徴とする請求項１０に記載の眼科装置。
【請求項１２】
前記第１画像取得部は、外部装置又は記録媒体から前記第１画像を受け付ける第１画像受付部を含む
ことを特徴とする請求項１〜１１のいずれかに記載の眼科装置。
【請求項１３】
前記第２画像取得部は、外部装置又は記録媒体から前記第２画像を受け付ける第２画像受付部を含む
ことを特徴とする請求項１〜１２のいずれかに記載の眼科装置。
【請求項１４】
眼科装置を制御する方法であって、
被検眼の断面を表す第１画像を取得するステップと、
前記被検眼の第２画像を取得するステップと、
前記第１画像を表示するとともに前記第１画像上に前記第２画像を表示するステップと
を含む、眼科装置の制御方法。
【請求項１５】
請求項１４に記載の制御方法を眼科装置に実行させるプログラム。
【請求項１６】
請求項１５に記載のプログラムを記録したコンピュータ可読な非一時的記録媒体。
【発明の詳細な説明】
【技術分野】
【０００１】
この発明は、眼科装置、その制御方法、プログラム、及び記録媒体に関する。
【背景技術】
【０００２】
眼科診療において、画像診断や画像解析の重要性が増してきている。特に、光コヒーレンストモグラフィ（ＯＣＴ）の眼科への応用が、その傾向に拍車をかけている。ＯＣＴは被検眼の３次元イメージングや３次元的な構造解析・機能解析を可能とし、例えば様々な計測値の分布を取得するために威力を発揮している。
【０００３】
近年、ＯＣＴスキャン範囲の拡大、つまりＯＣＴの広画角化、が進められている。例えば、眼底の中心から周辺までの広い範囲を一度にスキャンするために、光スキャナ（ガルバノミラー等）の偏向角度の拡大や、それに応じた構造・制御・画像化の最適化がなされた装置が開発されている。
【０００４】
眼科ＯＣＴ装置には、被検眼を正面から撮影するための正面撮影装置が組み合わされるのが一般的である。例えば、眼底用ＯＣＴ装置には、眼底カメラ又は走査型レーザー検眼鏡（ＳＬＯ）が複合される。
【０００５】
ＯＣＴ画像と正面画像とを並べて表示させることが行われている。例えば、特許文献１には、２つのＯＣＴ画像と正面画像とを並べて表示させることが開示されている。このような表示態様では、表示画面を複数のエリアに区分してそれぞれに画像を表示させるため、全ての表示エリアについて十分なサイズを確保することは困難である。すなわち、従来の技術では、被検眼の複数の画像を効率的に表示することができない。
【先行技術文献】
【特許文献】
【０００６】
【特許文献１】特許第６１６１２３７号公報
【発明の概要】
【発明が解決しようとする課題】
【０００７】
この発明の目的は、被検眼の複数の画像の効率的な表示を可能にすることにある。
【課題を解決するための手段】
【０００８】
例示的な実施形態の第１の態様は、被検眼の断面を表す第１画像を取得する第１画像取得部と、前記被検眼の第２画像を取得する第２画像取得部と、前記第１画像を表示手段に表示させ、且つ、前記第１画像上に前記第２画像を表示させる表示制御部とを含む眼科装置である。
【０００９】
例示的な実施形態の第２の態様は、第１の態様の眼科装置であって、前記第１画像の部分領域を設定する部分領域設定部を更に含み、前記表示制御部は、前記部分領域上に前記第２画像を表示させる。
【００１０】
例示的な実施形態の第３の態様は、第２の態様の眼科装置であって、前記部分領域特定部は、前記第１画像を解析して関心領域を特定する関心領域特定部を含み、前記関心領域の外部に前記部分領域を設定する。
【００１１】
例示的な実施形態の第４の態様は、第３の態様の眼科装置であって、前記第１画像は、前記被検眼の少なくとも眼底及び硝子体の断面を表す断面像であり、前記関心領域特定部は、前記断面像中の眼底領域を前記関心領域として特定する。
【００１２】
例示的な実施形態の第５の態様は、第２の態様の眼科装置であって、前記部分領域設定部は、前記第１画像を解析して非関心領域を特定する非関心領域特定部を含み、前記非関心領域の内部に前記部分領域を設定する。
【００１３】
例示的な実施形態の第６の態様は、第５の態様の眼科装置であって、前記第１画像は、前記被検眼の少なくとも眼底及び硝子体の断面を表す断面像であり、前記非関心領域特定部は、前記断面像中の硝子体領域及び眼球外領域の少なくとも一方を前記非関心領域として特定する。
【００１４】
例示的な実施形態の第７の態様は、第２〜第６の態様のいずれかの眼科装置であって、前記表示制御部は、前記部分領域設定部により設定された前記部分領域の寸法に基づいて前記第２画像の表示寸法を変更する。
【００１５】
例示的な実施形態の第８の態様は、第１〜第７の態様のいずれかの眼科装置であって、前記表示手段に表示された前記第１画像と前記第２画像とを単一の画像として記憶手段に保存する保存制御部を更に含む。
【００１６】
例示的な実施形態の第９の態様は、第１〜第８の態様のいずれかの眼科装置であって、前記第１画像取得部は、前記被検眼に光コヒーレンストモグラフィ（ＯＣＴ）を適用してデータを収集するデータ収集部と、前記データ収集部により収集された前記データに基づいて前記第１画像を形成する画像形成部とを含む。
【００１７】
例示的な実施形態の第１０の態様は、第１〜第９の態様のいずれかの眼科装置であって、前記第２画像取得部は、前記第１画像を処理して前記第２画像を形成する画像処理部を含む。
【００１８】
例示的な実施形態の第１１の態様は、第１０の態様の眼科装置であって、前記画像処理部は、前記第１画像の一部の拡大画像を前記第２画像として形成する。
【００１９】
例示的な実施形態の第１２の態様は、第１〜第１１の態様のいずれかの眼科装置であって、前記第１画像取得部は、外部装置又は記録媒体から前記第１画像を受け付ける第１画像受付部を含む。
【００２０】
例示的な実施形態の第１３の態様は、第１〜第１２の態様のいずれかの眼科装置であって、前記第２画像取得部は、外部装置又は記録媒体から前記第２画像を受け付ける第２画像受付部を含む。
【００２１】
例示的な実施形態の第１４の態様は、眼科装置を制御する方法であって、被検眼の断面を表す第１画像を取得するステップと、前記被検眼の第２画像を取得するステップと、前記第１画像を表示するとともに前記第１画像上に前記第２画像を表示するステップとを含む。
【００２２】
例示的な実施形態の第１５の態様は、第１４の態様の制御方法を眼科装置に実行させるプログラムである。
【００２３】
例示的な実施形態の第１６の態様は、第１５の態様のプログラムを記録したコンピュータ可読な非一時的記録媒体である。
【発明の効果】
【００２４】
例示的な実施形態によれば、被検眼の複数の画像を効率的に表示することが可能である。
【図面の簡単な説明】
【００２５】
【図１】例示的な実施形態に係る眼科装置の構成の一例を表す概略図である。
【図２】例示的な実施形態に係る眼科装置の構成の一例を表す概略図である。
【図３】例示的な実施形態に係る眼科装置の構成の一例を表す概略図である。
【図４Ａ】例示的な実施形態に係る眼科装置の構成の一例を表す概略図である。
【図４Ｂ】例示的な実施形態に係る眼科装置の構成の一例を表す概略図である。
【図４Ｃ】例示的な実施形態に係る眼科装置の構成の一例を表す概略図である。
【図５】例示的な実施形態に係る眼科装置の動作の一例を表すフローチャートである。
【図６】例示的な実施形態に係る眼科装置の動作の一例を説明するための概略図である。
【図７】例示的な実施形態に係る眼科装置の動作の一例を説明するための概略図である。
【図８】例示的な実施形態に係る眼科装置の動作の一例を説明するための概略図である。
【図９】例示的な実施形態に係る眼科装置の動作の一例を説明するための概略図である。
【図１０】例示的な実施形態に係る眼科装置の動作の一例を説明するための概略図である。
【図１１】例示的な実施形態に係る眼科装置の動作の一例を説明するための概略図である。
【図１２】例示的な実施形態に係る眼科装置の動作の一例を説明するための概略図である。
【発明を実施するための形態】
【００２６】
例示的な実施形態に係る眼科装置、その制御方法、プログラム、及び記録媒体について図面を参照しながら詳細に説明する。本明細書にて引用された文献の開示内容を含む任意の公知技術を、実施形態に援用することが可能である。また、特に言及しない限り、「画像データ」とそれに基づく「画像」とを区別しない。
【００２７】
例示的な実施形態では、主として、ＯＣＴ画像を処理する場合を説明する。例示的な実施形態に係る眼科装置は、フーリエドメインＯＣＴ（例えば、スウェプトソースＯＣＴ）を利用して生体眼の眼底を計測することが可能である。実施形態に適用可能なＯＣＴのタイプは、スウェプトソースＯＣＴに限定されず、例えばスペクトラルドメインＯＣＴ又はタイムドメインＯＣＴであってもよい。また、ＯＣＴの適用対象は眼底には限定されず、前眼部や硝子体であってもよい。
【００２８】
例示的な実施形態は、ＯＣＴと異なるモダリティによって取得された画像を処理可能であってよい。例えば、眼底カメラ、ＳＬＯ、スリットランプ顕微鏡、及び眼科手術用顕微鏡のいずれかにより取得された画像を処理可能であってもよい。例示的な実施形態に係る眼科装置は、眼底カメラ、ＳＬＯ、スリットランプ顕微鏡、及び眼科手術用顕微鏡のいずれかを含んでいてよい。
【００２９】
例示的な実施形態により処理可能な被検眼の画像は、上記のようなモダリティにより取得された画像を解析して得られた画像を含んでいてもよい。このような解析画像の例として、ＯＣＴ画像を解析して得られた眼底組織の厚み分布を表す画像（マップ、グラフ等）、角膜の曲率分布を表す画像（マップ、グラフ等）、病変の分布を表す画像（マップ、グラフ等）などがある。
【００３０】
〈構成〉
図１に示す例示的な実施形態の眼科装置１は、正面画像取得部２、ＯＣＴユニット１００及び演算制御ユニット２００を含む。正面画像取得部２には、被検眼の正面画像を取得するための光学系や機構が設けられている。ＯＣＴユニット１００には、ＯＣＴを実行するための光学系や機構の一部が設けられている。ＯＣＴを実行するための光学系や機構の他の一部は、正面画像取得部２に設けられている。演算制御ユニット２００は、各種の演算や制御を実行する１以上のプロセッサを含む。これらに加え、被検者の顔を支持するための部材（顎受け、額当て等）や、ＯＣＴの対象部位を切り替えるためのレンズユニット（例えば、前眼部ＯＣＴ用アタッチメント）等の任意の要素やユニットが眼科装置１に設けられてもよい。
【００３１】
本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムを読み出し実行することで、実施形態に係る機能を実現する。
【００３２】
〈正面画像取得部２〉
正面画像取得部２には、被検眼Ｅの眼底Ｅｆを撮影するための光学系が設けられている。取得される眼底Ｅｆの画像（眼底像、眼底写真等と呼ばれる）は、観察画像、撮影画像等の正面画像である。観察画像は、近赤外光を用いた動画撮影により得られる。撮影画像は、可視領域のフラッシュ光を用いた静止画像である。
【００３３】
正面画像取得部２は、照明光学系１０と撮影光学系３０とを含む。照明光学系１０は被検眼Ｅに照明光を照射する。撮影光学系３０は、被検眼Ｅからの照明光の戻り光を検出する。ＯＣＴユニット１００からの測定光は、正面画像取得部２内の光路を通じて被検眼Ｅに導かれ、その戻り光は、同じ光路を通じてＯＣＴユニット１００に導かれる。
【００３４】
照明光学系１０の観察光源１１から出力された光（観察照明光）は、凹面鏡１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ系１７、リレーレンズ１８、絞り１９、及びリレーレンズ系２０を経由する。そして、観察照明光は、孔開きミラー２１の周辺部（孔部の周囲の領域）にて反射され、ダイクロイックミラー４６を透過し、対物レンズ２２により屈折されて被検眼Ｅ（眼底Ｅｆ）を照明する。観察照明光の被検眼Ｅからの戻り光は、対物レンズ２２により屈折され、ダイクロイックミラー４６を透過し、孔開きミラー２１の中心領域に形成された孔部を通過し、ダイクロイックミラー５５を透過し、撮影合焦レンズ３１を経由し、ミラー３２により反射される。更に、この戻り光は、ハーフミラー３３Ａを透過し、ダイクロイックミラー３３により反射され、結像レンズ３４によりイメージセンサ３５の受光面に結像される。イメージセンサ３５は、所定のフレームレートで戻り光を検出する。なお、撮影光学系３０のフォーカスは、眼底Ｅｆ又は前眼部に合致するように調整される。
【００３５】
撮影光源１５から出力された光（撮影照明光）は、観察照明光と同様の経路を通って眼底Ｅｆに照射される。被検眼Ｅからの撮影照明光の戻り光は、観察照明光の戻り光と同じ経路を通ってダイクロイックミラー３３まで導かれ、ダイクロイックミラー３３を透過し、ミラー３６により反射され、結像レンズ３７によりイメージセンサ３８の受光面に結像される。
【００３６】
液晶ディスプレイ（ＬＣＤ）３９は固視標（固視標画像）を表示する。ＬＣＤ３９から出力された光束は、その一部がハーフミラー３３Ａに反射され、ミラー３２に反射され、撮影合焦レンズ３１及びダイクロイックミラー５５を経由し、孔開きミラー２１の孔部を通過する。孔開きミラー２１の孔部を通過した光束は、ダイクロイックミラー４６を透過し、対物レンズ２２により屈折されて眼底Ｅｆに投射される。
【００３７】
ＬＣＤ３９の画面上における固視標画像の表示位置を変更することにより、固視標による被検眼Ｅの固視位置を変更できる。固視位置の例として、黄斑部を中心とする画像を取得するための固視位置や、視神経乳頭を中心とする画像を取得するための固視位置や、黄斑部と視神経乳頭との間の眼底中心を中心とする画像を取得するための固視位置や、黄斑から大きく離れた部位（眼底周辺部）の画像を取得するための固視位置などがある。このような典型的な固視位置の少なくとも１つを指定するためのグラフィカルユーザーインターフェース（ＧＵＩ）等を設けることができる。また、固視位置（固視標の表示位置）をマニュアルで移動するためのＧＵＩ等を設けることができる。
【００３８】
固視位置を変更可能な固視標を被検眼Ｅに提示するための構成はＬＣＤ等の表示デバイスには限定されない。例えば、複数の発光部（発光ダイオード等）がマトリクス状（アレイ状）に配列された固視マトリクスを表示デバイスの代わりに採用することができる。この場合、複数の発光部を選択的に点灯させることにより、固視標による被検眼Ｅの固視位置を変更することができる。他の例として、移動可能な１以上の発光部によって、固視位置を変更可能な固視標を生成することができる。
【００３９】
アライメント光学系５０は、被検眼Ｅに対する光学系のアライメントに用いられるアライメント指標を生成する。発光ダイオード（ＬＥＤ）５１から出力されたアライメント光は、絞り５２、絞り５３、及びリレーレンズ５４を経由し、ダイクロイックミラー５５により反射され、孔開きミラー２１の孔部を通過し、ダイクロイックミラー４６を透過し、対物レンズ２２を介して被検眼Ｅに投射される。アライメント光の被検眼Ｅからの戻り光（角膜反射光等）は、観察照明光の戻り光と同じ経路を通ってイメージセンサ３５に導かれる。その受光像（アライメント指標像）に基づいてマニュアルアライメントやオートアライメントを実行できる。
【００４０】
従来と同様に、本例のアライメント指標像は、アライメント状態により位置が変化する２つの輝点像からなる。被検眼Ｅと光学系との相対位置がｘｙ方向に変化すると、２つの輝点像が一体的にｘｙ方向に変位する。被検眼Ｅと光学系との相対位置がｚ方向に変化すると、２つの輝点像の間の相対位置（距離）が変化する。ｚ方向における被検眼Ｅと光学系との間の距離が既定のワーキングディスタンスに一致すると、２つの輝点像が重なり合う。ｘｙ方向において被検眼Ｅの位置と光学系の位置とが一致すると、所定のアライメントターゲット内又はその近傍に２つの輝点像が提示される。ｚ方向における被検眼Ｅと光学系との間の距離がワーキングディスタンスに一致し、且つ、ｘｙ方向において被検眼Ｅの位置と光学系の位置とが一致すると、２つの輝点像が重なり合ってアライメントターゲット内に提示される。
【００４１】
オートアライメントでは、データ処理部２３０が、２つの輝点像の位置を検出し、主制御部２１１が、２つの輝点像とアライメントターゲットとの位置関係に基づいて後述の移動機構１５０を制御する。マニュアルアライメントでは、主制御部２１１が、被検眼Ｅの観察画像とともに２つの輝点像を表示部２４１に表示させ、ユーザーが、表示された２つの輝点像を参照しながら操作部２４２を用いて移動機構１５０を動作させる。
【００４２】
フォーカス光学系６０は、被検眼Ｅに対するフォーカス調整に用いられるスプリット指標を生成する。撮影光学系３０の光路（撮影光路）に沿った撮影合焦レンズ３１の移動に連動して、フォーカス光学系６０は照明光学系１０の光路（照明光路）に沿って移動される。反射棒６７は、照明光路に対して挿脱される。フォーカス調整を行う際には、反射棒６７の反射面が照明光路に傾斜配置される。ＬＥＤ６１から出力されたフォーカス光は、リレーレンズ６２を通過し、スプリット指標板６３により２つの光束に分離され、二孔絞り６４を通過し、ミラー６５により反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２を介して被検眼Ｅに投射される。フォーカス光の被検眼Ｅからの戻り光（眼底反射光等）は、アライメント光の戻り光と同じ経路を通ってイメージセンサ３５に導かれる。その受光像（スプリット指標像）に基づいてマニュアルフォーカシングやオートフォーカシングを実行できる。
【００４３】
孔開きミラー２１とダイクロイックミラー５５との間の撮影光路に、視度補正レンズ７０及び７１を選択的に挿入することができる。視度補正レンズ７０は、強度遠視を補正するためのプラスレンズ（凸レンズ）である。視度補正レンズ７１は、強度近視を補正するためのマイナスレンズ（凹レンズ）である。
【００４４】
ダイクロイックミラー４６は、眼底撮影用光路とＯＣＴ用光路（測定アーム）とを合成する。ダイクロイックミラー４６は、ＯＣＴに用いられる波長帯の光を反射し、眼底撮影用の光を透過させる。測定アームには、ＯＣＴユニット１００側から順に、コリメータレンズユニット４０、リトロリフレクタ４１、分散補償部材４２、ＯＣＴ合焦レンズ４３、光スキャナ４４、及びリレーレンズ４５が設けられている。
【００４５】
リトロリフレクタ４１は、図１に示す矢印の方向に移動可能とされ、それにより測定アームの長さが変更される。測定アーム長の変更は、例えば、眼軸長に応じた光路長補正や、干渉状態の調整などに利用される。
【００４６】
分散補償部材４２は、参照アームに配置された分散補償部材１１３（後述）とともに、測定光ＬＳの分散特性と参照光ＬＲの分散特性とを合わせるよう作用する。
【００４７】
ＯＣＴ合焦レンズ４３は、測定アームのフォーカス調整を行うために測定アームに沿って移動される。撮影合焦レンズ３１の移動、フォーカス光学系６０の移動、及びＯＣＴ合焦レンズ４３の移動を連係的に制御することができる。
【００４８】
光スキャナ４４は、実質的に、被検眼Ｅの瞳孔と光学的に共役な位置に配置される。光スキャナ４４は、測定アームにより導かれる測定光ＬＳを偏向する。光スキャナ４４は、例えば、２次元走査が可能なガルバノスキャナである。
【００４９】
〈ＯＣＴユニット１００〉
図２に例示するように、ＯＣＴユニット１００には、スウェプトソースＯＣＴを適用するための光学系が設けられている。この光学系は干渉光学系を含む。この干渉光学系は、波長可変光源（波長掃引型光源）からの光を測定光と参照光とに分割し、被検眼Ｅからの測定光の戻り光と参照光路を経由した参照光とを重ね合わせて干渉光を生成し、この干渉光を検出する。干渉光学系により得られた検出結果（検出信号）は、干渉光のスペクトルを表す信号であり、演算制御ユニット２００に送られる。
【００５０】
光源ユニット１０１は、例えば、出射光の波長を高速で変化させる近赤外波長可変レーザーを含む。光源ユニット１０１から出力された光Ｌ０は、光ファイバ１０２により偏波コントローラ１０３に導かれてその偏光状態が調整される。更に、光Ｌ０は、光ファイバ１０４によりファイバカプラ１０５に導かれて測定光ＬＳと参照光ＬＲとに分割される。測定光ＬＳの光路は測定アームなどと呼ばれ、参照光ＬＲの光路は参照アームなどと呼ばれる。
【００５１】
参照光ＬＲは、光ファイバ１１０によりコリメータ１１１に導かれて平行光束に変換され、光路長補正部材１１２及び分散補償部材１１３を経由し、リトロリフレクタ１１４に導かれる。光路長補正部材１１２は、参照光ＬＲの光路長と測定光ＬＳの光路長とを合わせるよう作用する。分散補償部材１１３は、測定アームに配置された分散補償部材４２とともに、参照光ＬＲと測定光ＬＳとの間の分散特性を合わせるよう作用する。リトロリフレクタ１１４は、これに入射する参照光ＬＲの光路に沿って移動可能であり、それにより参照アームの長さが変更される。参照アーム長の変更は、例えば、眼軸長に応じた光路長補正や、干渉状態の調整などに利用される。
【００５２】
リトロリフレクタ１１４を経由した参照光ＬＲは、分散補償部材１１３及び光路長補正部材１１２を経由し、コリメータ１１６によって平行光束から集束光束に変換され、光ファイバ１１７に入射する。光ファイバ１１７に入射した参照光ＬＲは、偏波コントローラ１１８に導かれてその偏光状態が調整され、光ファイバ１１９を通じてアッテネータ１２０に導かれてその光量が調整され、光ファイバ１２１を通じてファイバカプラ１２２に導かれる。
【００５３】
一方、ファイバカプラ１０５により生成された測定光ＬＳは、光ファイバ１２７により導かれてコリメータレンズユニット４０により平行光束に変換され、リトロリフレクタ４１、分散補償部材４２、ＯＣＴ合焦レンズ４３、光スキャナ４４及びリレーレンズ４５を経由し、ダイクロイックミラー４６により反射され、対物レンズ２２により屈折されて被検眼Ｅに投射される。測定光ＬＳは、被検眼Ｅの様々な深さ位置において散乱・反射される。測定光ＬＳの被検眼Ｅからの戻り光は、往路と同じ経路を逆向きに進行してファイバカプラ１０５に導かれ、光ファイバ１２８を経由してファイバカプラ１２２に到達する。
【００５４】
ファイバカプラ１２２は、光ファイバ１２８を介して入射された測定光ＬＳと、光ファイバ１２１を介して入射された参照光ＬＲとを重ね合わせて干渉光を生成する。ファイバカプラ１２２は、生成された干渉光を所定の分岐比（例えば１：１）で分岐することで一対の干渉光ＬＣを生成する。一対の干渉光ＬＣは、それぞれ光ファイバ１２３及び１２４を通じて検出器１２５に導かれる。
【００５５】
検出器１２５は、例えばバランスドフォトダイオードを含む。バランスドフォトダイオードは、一対の干渉光ＬＣをそれぞれ検出する一対のフォトディテクタを有し、これらにより得られた一対の検出結果の差分を出力する。検出器１２５は、この出力（検出信号）をデータ収集システム（ＤＡＱ）１３０に送る。
【００５６】
データ収集システム１３０には、光源ユニット１０１からクロックＫＣが供給される。クロックＫＣは、光源ユニット１０１において、波長可変光源により所定の波長範囲内で掃引される各波長の出力タイミングに同期して生成される。光源ユニット１０１は、例えば、各出力波長の光Ｌ０を分岐して２つの分岐光を生成し、これら分岐光の一方を光学的に遅延させ、これら分岐光を合成し、得られた合成光を検出し、その検出結果に基づいてクロックＫＣを生成する。データ収集システム１３０は、検出器１２５から入力される検出信号のサンプリングをクロックＫＣに基づいて実行する。データ収集システム１３０は、このサンプリングの結果を演算制御ユニット２００に送る。
【００５７】
本例では、測定アーム長を変更するための要素（例えば、リトロリフレクタ４１）と、参照アーム長を変更するための要素（例えば、リトロリフレクタ１１４、又は参照ミラー）との双方が設けられているが、一方の要素のみが設けられていてもよい。また、測定アーム長と参照アーム長との間の差（光路長差）を変更するための要素はこれらに限定されず、任意の要素（光学部材、機構など）であってよい。
【００５８】
〈制御系〉
眼科装置１の制御系の構成例を図３〜図４Ｃに示す。制御部２１０、画像形成部２２０及びデータ処理部２３０は、例えば演算制御ユニット２００に設けられる。また、制御系は、外部装置との間でデータ通信をおこなうための通信デバイスを含んでいてもよい。また、制御系は、記録媒体に記録されたデータを読み出す処理や、記録媒体にデータを書き込む処理を行うためのドライブ装置（リーダ／ライタ）を含んでいてもよい。
【００５９】
〈制御部２１０〉
制御部２１０は、各種の制御を実行する。制御部２１０は、主制御部２１１と記憶部２１２とを含む。
【００６０】
〈主制御部２１１〉
主制御部２１１は、プロセッサを含み、眼科装置１の各要素（図１〜図４Ｃに示された要素を含む）を制御する。
【００６１】
撮影光路に配置された撮影合焦レンズ３１と照明光路に配置されたフォーカス光学系６０とは、主制御部２１１の制御の下に、撮影合焦駆動部３１Ａによって移動される。測定アームに設けられたリトロリフレクタ４１は、主制御部２１１の制御の下に、リトロリフレクタ（ＲＲ）駆動部４１Ａによって移動される。測定アームに配置されたＯＣＴ合焦レンズ４３は、主制御部２１１の制御の下に、ＯＣＴ合焦駆動部４３Ａによって移動される。測定アームに設けられた光スキャナ４４は、主制御部２１１の制御の下に動作する。参照アームに配置されたリトロリフレクタ１１４は、主制御部２１１の制御の下に、リトロリフレクタ（ＲＲ）駆動部１１４Ａによって移動される。上記した駆動部のそれぞれは、主制御部２１１の制御の下に動作するパルスモータ等のアクチュエータを含む。
【００６２】
移動機構１５０は、例えば、少なくとも正面画像取得部２を３次元的に移動する。典型的な例において、移動機構１５０は、±ｘ方向（左右方向）に移動可能なｘステージと、ｘステージを移動するｘ移動機構と、±ｙ方向（上下方向）に移動可能なｙステージと、ｙステージを移動するｙ移動機構と、±ｚ方向（奥行き方向）に移動可能なｚステージと、ｚステージを移動するｚ移動機構とを含む。これら移動機構のそれぞれは、主制御部２１１の制御の下に動作するパルスモータ等のアクチュエータを含む。
【００６３】
〈記憶部２１２〉
記憶部２１２は各種のデータを記憶する。記憶部２１２に記憶されるデータとしては、ＯＣＴ画像や眼底像や被検眼情報などがある。被検眼情報は、患者ＩＤや氏名などの被検者情報や、左眼／右眼の識別情報や、電子カルテ情報などを含む。
【００６４】
〈表示制御部２１３〉
表示制御部２１３は、ユーザーインターフェイス２４０の表示部２４１に情報を表示するための制御を行う。表示制御部２１３が実行する処理については後述する。表示制御部２１３は主制御部２１１に含まれている。
【００６５】
〈保存制御部２１４〉
保存制御部２１４は、被検眼Ｅの画像を記憶部２１２に保存するための制御を行う。保存制御部２１４が実行する処理については後述する。保存制御部２１４は主制御部２１１に含まれている。
【００６６】
〈画像形成部２２０〉
画像形成部２２０は、プロセッサを含み、データ収集システム１３０から入力された信号（サンプリングデータ）に基づいて、眼底ＥｆのＯＣＴ画像データを形成する。ＯＣＴ画像データは、例えば、Ｂスキャン画像データ（２次元断層像データ）である。
【００６７】
ＯＣＴ画像データを形成する処理は、従来のフーリエドメインＯＣＴと同様に、ノイズ除去（ノイズ低減）、フィルタ処理、高速フーリエ変換（ＦＦＴ）などを含む。他のタイプのＯＣＴ装置の場合、画像形成部２２０は、そのタイプに応じた公知の処理を実行する。
【００６８】
画像形成部２２０は、データ収集システム１３０から入力された信号に基づいて、眼底Ｅｆの３次元データを形成する。この３次元データは、眼底Ｅｆの３次元領域（ボリューム）を表現した３次元画像データである。この３次元画像データは、３次元座標系により画素の位置が定義された画像データを意味する。３次元画像データの例として、スタックデータやボリュームデータがある。
【００６９】
スタックデータは、複数の走査線に沿って得られた複数の断層像を、走査線の位置関係に基づき３次元的に配列して得られた画像データである。すなわち、スタックデータは、元々個別の２次元座標系により定義されていた複数の断層像を、１つの３次元座標系により表現する（つまり、１つの３次元空間に埋め込む）ことにより得られた画像データである。或いは、スタックデータは、２次元的に配列された複数の走査点（走査点アレイ）についてそれぞれ取得された複数のＡスキャンデータを、走査点の位置関係に基づき３次元的に配列して得られた画像データである。
【００７０】
ボリュームデータは、３次元的に配列されたボクセルを画素とする画像データであり、ボクセルデータとも呼ばれる。ボリュームデータは、スタックデータに補間処理やボクセル化処理などを適用することによって形成される。
【００７１】
画像形成部２２０は、３次元画像データにレンダリングを施して表示用画像を形成する。適用可能なレンダリング法の例として、ボリュームレンダリング、サーフェスレンダリング、最大値投影（ＭＩＰ）、最小値投影（ＭｉｎＩＰ）、多断面再構成（ＭＰＲ）などがある。
【００７２】
画像形成部２２０は、３次元画像データに基づいてＯＣＴ正面画像（ＯＣＴ  ｅｎ−ｆａｃｅ画像）を形成することが可能である。例えば、画像形成部２２０は、３次元画像データをｚ方向（Ａライン方向、深さ方向）に投影してプロジェクションデータを構築することができる。また、画像形成部２２０は、３次元画像データの一部をｚ方向に投影してシャドウグラムを構築することができる。
【００７３】
シャドウグラムを構築するために投影される部分的３次元画像データは、例えば、セグメンテーションを利用して設定される。セグメンテーションは、画像中の部分領域を特定する処理である。典型的には、セグメンテーションは、眼底Ｅｆの所定組織に相当する画像領域を特定するために利用される。セグメンテーションは、例えば、画像形成部２２０又はデータ処理部２３０により実行される。
【００７４】
〈データ処理部２３０〉
データ処理部２３０は、プロセッサを含み、被検眼Ｅの画像に対して各種のデータ処理を適用する。例えば、データ処理部２３０は、輝度補正や分散補正等の各種の補正処理を実行可能であってよい。
【００７５】
データ処理部２３０は、眼底Ｅｆについて取得された２つの画像の間の位置合わせ（レジストレーション）を行うことができる。例えば、データ処理部２３０は、ＯＣＴで取得された３次元画像データと、正面画像取得部２により取得された正面画像との間のレジストレーションを行うことができる。また、データ処理部２３０は、ＯＣＴで取得された２つのＯＣＴ画像の間のレジストレーションを行うことができる。また、データ処理部２３０は、正面画像取得部２により取得された２つの正面画像の間のレジストレーションを行うことができる。また、ＯＣＴ画像の解析結果や、正面画像の解析結果に対してレジストレーションを適用することも可能である。レジストレーションは、公知の手法によって実行可能であり、例えば特徴点抽出とアフィン変換とを含む。
【００７６】
データ処理部２３０は、例えば、部分領域設定部２３１と、画像処理部２３２とを含む。
【００７７】
〈部分領域設定部２３１〉
詳細については後述するが、眼科装置１は、被検眼Ｅの断面を表す第１画像と、被検眼Ｅの第２画像とを取得し、第１画像上に第２画像を表示させる。本実施形態の第１画像はＯＣＴ画像であり、典型的には広画角ＯＣＴ画像である。本実施形態の第２画像は、典型的には、ＯＣＴ画像、正面画像（眼底像等）、解析マップなどである。
【００７８】
部分領域設定部２３１は、第１画像の部分領域を設定する。表示制御部２１３は、部分領域設定部２３１により設定された部分領域上に第２画像を表示させる。このように、部分領域設定部２３１は、第２画像が表示される第１画像中の領域を設定するものである。
【００７９】
部分領域設定部２３１は、第１画像中の部分領域を自動で設定することができる。自動設定のための部分領域設定部２３１の構成例を図４Ｂ及び図４Ｃに示す。
【００８０】
図４Ｂに示す部分領域設定部２３１Ａは、関心領域特定部２３１１Ａと、設定部２３１２Ａとを含む。関心領域特定部２３１１Ａは、第１画像を解析して関心領域を特定する。設定部２３１２Ａは、関心領域特定部２３１１Ａにより特定された関心領域の外部に、第２画像が表示される部分領域を設定する。
【００８１】
関心領域は、例えば、予め設定された眼の所定部位又は所定組織に相当する画像領域である。関心領域特定部２３１１Ａは、例えば、セグメンテーション、閾値処理、エッジ検出、パターンマッチング、ラベリングなど、任意の画像処理やデータ処理を実行可能であってよい。
【００８２】
関心領域特定部２３１１Ａが実行する処理の例を説明する。第１画像は、眼底Ｅｆの断面像（Ｂスキャン画像）であるとする。一般に、眼底を撮像対象とするＯＣＴスキャンにより得られた断面像には、網膜や脈絡膜に相当する画像領域だけでなく、硝子体に相当する画像領域（硝子体領域）や、眼球外の部位に相当する画像領域（眼球外領域）も含まれている。網膜や脈絡膜は典型的な観察対象である一方、硝子体や眼球外部位が観察対象となることは少ない。つまり、網膜領域や脈絡膜領域は典型的な関心領域であり、硝子体領域や眼球外領域は典型的な非関心領域である。関心領域特定部２３１１Ａは、例えば、眼底Ｅｆを撮像対象とするＯＣＴスキャンで得られた断面像を解析することで、網膜領域及び脈絡膜領域の少なくとも一方を特定する。
【００８３】
第１の例において、関心領域特定部２３１１Ａは、セグメンテーションを利用することで、内境界膜（ＩＬＭ）に相当する画像領域を特定する。設定部２３１２Ａは、関心領域特定部２３１１Ａにより特定された内境界膜領域よりも角膜側（−ｚ側）の画像領域（つまり、硝子体領域等）に、第２画像が表示される部分領域を設定することができる。なお、網膜領域の特定は、内境界膜領域の特定のような、網膜領域の境界の特定も含む。
【００８４】
第２の例において、関心領域特定部２３１１Ａは、セグメンテーションを利用することで、強膜に相当する画像領域を特定する。設定部２３１２Ａは、関心領域特定部２３１１Ａにより特定された強膜領域よりも奥側（＋ｚ側）の画像領域（つまり、眼球外領域）に、第２画像が表示される部分領域を設定することができる。
【００８５】
第３の例において、関心領域特定部２３１１Ａは、セグメンテーションを利用することで、脈絡膜に相当する画像領域を特定する。設定部２３１２Ａは、関心領域特定部２３１１Ａにより特定された脈絡膜領域よりも奥側（＋ｚ側）の画像領域（つまり、強膜領域及び眼球外領域）に、第２画像が表示される部分領域を設定することができる。
【００８６】
第４の例において、関心領域特定部２３１１Ａは、セグメンテーションを利用することで、網膜色素上皮（ＲＰＥ）に相当する画像領域を特定する。設定部２３１２Ａは、関心領域特定部２３１１Ａにより特定された網膜色素上皮領域よりも奥側（＋ｚ側）の画像領域（つまり、脈絡膜領域、強膜領域及び眼球外領域）に、第２画像が表示される部分領域を設定することができる。
【００８７】
第５の例において、関心領域特定部２３１１Ａは、セグメンテーションを利用することで、ブルッフ膜に相当する画像領域を特定する。設定部２３１２Ａは、関心領域特定部２３１１Ａにより特定されたブルッフ膜領域よりも奥側（＋ｚ側）の画像領域（つまり、脈絡膜領域、強膜領域及び眼球外領域）に、第２画像が表示される部分領域を設定することができる。
【００８８】
第６の例において、関心領域特定部２３１１Ａは、セグメンテーションを利用することで、第１領域（例えば、内境界膜領域）と、第２領域（例えば、強膜領域、脈絡膜領域、網膜色素上皮領域、又はブルッフ膜領域）とを特定する。設定部２３１２Ａは、関心領域特定部２３１１Ａにより特定された第１領域と第２領域とにより定義される画像領域（例えば、網膜領域、脈絡膜領域、又は、網膜脈絡膜領域）の外部に、第２画像が表示される部分領域を設定することができる。
【００８９】
第７の例において、関心領域特定部２３１１Ａは、セグメンテーションを利用することで、黄斑及び／又は視神経乳頭に相当する画像領域を特定する。設定部２３１２Ａは、関心領域特定部２３１１Ａにより特定された画像領域の外部に、第２画像が表示される部分領域を設定することができる。
【００９０】
図４Ｃに示す部分領域設定部２３１Ｂは、非関心領域特定部２３１１Ｂと、設定部２３１２Ｂとを含む。非関心領域特定部２３１１Ｂは、第１画像を解析して非関心領域を特定する。設定部２３１２Ｂは、非関心領域特定部２３１１Ｂにより特定された非関心領域の内部に、第２画像が表示される部分領域を設定する。
【００９１】
非関心領域は、典型的には、硝子体領域や眼球外領域である。非関心領域特定部２３１１Ｂは、例えば、セグメンテーション、閾値処理、エッジ検出、パターンマッチング、ラベリングなど、任意の画像処理やデータ処理を実行可能であってよい。セグメンテーションを利用した非関心領域の特定は、前述した関心領域特定の例と同じ要領で実行することができる。
【００９２】
他の例として、非関心領域特定部２３１１Ｂは、画像領域の輝度や空間周波数やサイズや形状を参照することができる。例えば、閾値よりも輝度が低く、且つ、閾値以上の広さを有する連結画像領域を、非関心領域として特定することができる。また、閾値よりも空間周波数が低く、且つ、閾値以上の広さを有する連結画像領域を、非関心領域として特定することができる。また、＋ｚ方向に向かって凸形状であり、且つ、閾値以上の広さを有する連結画像領域を、非関心領域（硝子体領域）として特定することができる。また、−ｚ方向において凹形状であり、且つ、閾値以上の広さを有する連結画像領域を、非関心領域（眼球外領域）として特定することができる。
【００９３】
設定部２３１２Ｂは、このようにして非関心領域特定部２３１１Ｂが特定した非関心領域の内部に、第２画像が表示される部分領域を設定する。
【００９４】
以上のような自動設定に加え、又は、これの代わりに、部分領域の設定を手動又は半自動で行ってもよい。
【００９５】
手動設定の場合、例えば、表示制御部２１３は、第１画像を表示部２４１に表示させる。ユーザーは、表示された第１画像中の所望の領域を操作部２４２を用いて指定する。この指定操作は、例えば、ドラッグ操作であってよい。部分領域設定部２３１は、ユーザーが指定した領域を、第２画像が表示される部分領域に設定する。例えば、第１画像中の硝子体領域を囲むようにユーザーが操作を行った場合、部分領域設定部２３１は、この硝子体領域を第２画像が表示される部分領域に設定することができる。
【００９６】
半自動設定の場合、例えば、表示制御部２１３は、第１画像を表示部２４１に表示させる。ユーザーは、表示された第１画像中の所望の位置を操作部２４２を用いて指定する。この指定操作は、例えば、クリック操作又はドラッグ操作であってよい。部分領域設定部２３１は、例えば、ユーザーが指定した位置を含む連結画像領域をリージョングローイング等によって特定する。部分領域設定部２３１は、このようにして特定された連結画像領域を、第２画像が表示される部分領域に設定する。例えば、第１画像中の硝子体領域中の位置をユーザーが指定した場合、部分領域設定部２３１は、この指定位置を含む硝子体領域を特定し、第２画像が表示される部分領域として設定することができる。
【００９７】
〈画像処理部２３２〉
画像処理部２３２は、第１画像を処理して第２画像を形成する。前述したように、第２画像は第１画像上に表示される。本実施形態では、部分領域設定部２３１により特定された第１画像の部分領域上に第２画像を表示することができる。つまり、画像処理部２３２は、第１画像上に表示される第２画像を、第１画像を処理して形成するものである。
【００９８】
例えば、第２画像は、第１画像の部分拡大画像である。この場合、画像処理部２３２は、第１画像の一部の拡大画像を第２画像として形成する。典型的な例として、第１画像が広画角ＯＣＴ画像である場合、画像処理部２３２は、この広画角ＯＣＴ画像の一部をトリミングして拡大することによって第２画像を形成することができる。
【００９９】
他の例として、画像処理部２３２は、第１画像を解析することによって、第２画像としてのマップやグラフを作成することが可能である。
【０１００】
〈ユーザーインターフェイス２４０〉
ユーザーインターフェイス２４０は表示部２４１と操作部２４２とを含む。表示部２４１は表示装置３を含む。操作部２４２は各種の操作デバイスや入力デバイスを含む。ユーザーインターフェイス２４０は、例えばタッチパネルのような表示機能と操作機能とが一体となったデバイスを含んでいてもよい。ユーザーインターフェイス２４０の少なくとも一部を含まない実施形態を構築することも可能である。例えば、表示デバイスは、眼科撮影装置に接続された外部装置であってよい。
【０１０１】
〈動作〉
眼科装置１の動作について説明する。なお、患者ＩＤの入力、固視標の提示、固視位置の調整、アライメント、フォーカス調整、ＯＣＴ光路長調整など、従来と同様の準備的な処理は、既になされたものとする。
【０１０２】
図５を参照しつつ眼科装置１の動作の例を説明する。
【０１０３】
（Ｓ１：広画角ＯＣＴスキャンを眼底に適用）
まず、眼科装置１は、眼底Ｅｆに対して広画角ＯＣＴスキャンを適用する。この広画角ＯＣＴスキャンは、ラインスキャン又は３次元スキャンであってよい。このラインスキャンは、例えば、長さが９ｍｍ又は１２ｍｍのラインに沿ったスキャンであってよい。この３次元スキャンは、例えば、寸法が９ｍｍ×９ｍｍ、９ｍｍ×１２ｍｍ、又は、１２ｍｍ×１２ｍｍのエリアに対するラスタースキャンであってよい。なお、広画角ＯＣＴスキャンの態様はこれらに限定されない。
【０１０４】
（Ｓ２：眼底撮影により正面眼底像を取得）
次に、眼科装置１は、正面画像取得部２によって眼底Ｅｆを撮影する。これにより正面眼底像が得られる。
【０１０５】
（Ｓ３：広画角ＯＣＴ画像を形成）
画像形成部２２０は、ステップＳ１の広画角ＯＣＴスキャンで収集されたデータに基づいて、眼底Ｅｆの広画角ＯＣＴ画像を形成する。
【０１０６】
ステップＳ１でラインスキャンが適用された場合、画像形成部２２０は、Ｂスキャン画像を形成する。ステップＳ１で３次元スキャンが適用された場合、画像形成部２２０は、３次元画像データを形成し、更に、この３次元画像をレンダリングする。このレンダリング画像は、例えば、Ｂスキャン画像である。ステップＳ３で形成された広画角ＯＣＴ画像は記憶部２１２に保存される。
【０１０７】
（Ｓ４：広画角ＯＣＴ画像と正面眼底像を表示）
表示制御部２１３は、ステップＳ３で形成された広角ＯＣＴ画像と、ステップＳ２で取得された正面眼底像とを、表示部２４１に表示させる。
【０１０８】
ステップＳ４で表示される画像の例を図６に示す。表示部２４１には、ＯＣＴ画像表示領域２４１ａと、正面画像表示領域２４１ｂとが設けられている。表示制御部２１３は、ステップＳ３で形成された広角ＯＣＴ画像Ｇ１をＯＣＴ画像表示領域２４１ａに表示させる。更に、表示制御部２１３は、ステップＳ２で取得された正面眼底像Ｇ２を正面画像表示領域２４１ｂに表示させる。なお、表示画面のレイアウトは任意である。
【０１０９】
（Ｓ５：広画角ＯＣＴ画像の部分領域を設定）
本例において、ステップＳ３で形成された広角ＯＣＴ画像が、前述の第１画像に相当する。部分領域設定部２３１は、ステップＳ３で形成された広角ＯＣＴ画像の部分領域を設定する。
【０１１０】
図７に示す例では、広角ＯＣＴ画像Ｇ１において眼底Ｅｆ（例えば、網膜及び脈絡膜）に相当する画像領域（眼底領域）Ｇ１１が、関心領域である。
【０１１１】
図４Ｂに示す部分領域設定部２３１Ａが適用される場合、関心領域特定部２３１１Ａは眼底領域Ｇ１１を特定し、設定部２３１２Ａは、特定された眼底領域Ｇ１１の外部に部分領域を設定する。設定される部分領域は、眼底領域Ｇ１１よりも−ｚ側に位置する画像領域Ｇ１２の一部又は全体と、眼底領域Ｇ１１よりも＋ｚ側に位置する画像領域Ｇ１３の一部又は全体との一方又は双方である。
【０１１２】
図４Ｃに示す部分領域設定部２３１Ｂが適用される場合、関心領域特定部２３１１Ｂは眼底領域Ｇ１１と異なる画像領域を特定する。特定される画像領域は、眼底領域Ｇ１１よりも−ｚ側に位置する画像領域Ｇ１２の一部又は全体と、眼底領域Ｇ１１よりも＋ｚ側に位置する画像領域Ｇ１３の一部又は全体との一方又は双方である。設定部２３１２Ｂは、関心領域特定部２３１１Ｂにより特定された画像領域の内部（つまり、特定された画像領域の一部又は全体）に部分領域を設定する。
【０１１３】
（Ｓ６：広画角ＯＣＴ画像中の注目箇所をユーザーが指定）
ユーザーは、ステップＳ４で表示された広角ＯＣＴ画像を観察し、注目箇所を指定する。注目箇所を指定する操作は、例えば、操作部２４２を用いたドラッグ操作又はクリック操作であってよい。本例では、図８に示すように、黄斑Ｇ１４が注目箇所として指定されたとする。
【０１１４】
（Ｓ７：注目箇所の拡大画像を形成）
画像処理部２３２は、ステップＳ６で指定された注目箇所の拡大画像を形成する。この処理は、例えば、ステップＳ６で指定された注目箇所（又は、それを含む画像領域）をトリミングする処理と、トリミングにより抽出された画像を拡大する処理とを含む。
【０１１５】
ステップＳ６で黄斑Ｇ１４が指定された場合（図８）、図９に示すように、黄斑Ｇ１４を囲む画像領域（黄斑領域）Ｇ１５がトリミングされ、その拡大画像が形成される。
【０１１６】
（Ｓ８：広画角ＯＣＴ画像上に拡大画像を表示）
表示制御部２１３は、ステップＳ７で形成された拡大画像を、ステップＳ５で設定された部分領域上に表示させる。
【０１１７】
例えば、図１０に示すように、表示制御部２１３は、ステップＳ７で形成された黄斑領域Ｇ１５の拡大画像Ｇ１６を、ステップＳ５で設定された部分領域（例えば、画像領域Ｇ１２）上に表示させることができる。更に、表示制御部２１３は、拡大画像Ｇ１６に相当する広画角ＯＣＴ画像Ｇ１中の領域を示す画像Ｇ１７を表示させることができる。
【０１１８】
表示制御部２１３は、部分領域設定部２３１により設定された部分領域の寸法に基づいて、拡大画像Ｇ１６（第２画像）の表示寸法を変更することができる。部分領域の寸法は、面積、高さ（ｚ方向における寸法）、幅（ｚ方向に直交する方向における寸法）、対角線長、周囲長など、任意のパラメーターで定義されてよい。また、拡大画像Ｇ１６の表示寸法の変更制御において、表示制御部２１３は、部分領域の形状、拡大画像の外縁の形状などをすることができる。
【０１１９】
典型的な例として、表示制御部２１３は、部分領域Ｇ１２に含まれる最大の表示寸法で拡大画像Ｇ１６を表示させることができる。
【０１２０】
図１１に示すように、表示制御部２１３は、拡大画像Ｇ１８の一部のみが部分領域Ｇ１２上に位置するように、拡大画像Ｇ１８を表示させてもよい。換言すると、表示制御部２１３は、部分領域Ｇ１２からはみ出すように拡大画像Ｇ１８を表示させてもよい。更に、表示制御部２１３は、拡大画像Ｇ１６に相当する広画角ＯＣＴ画像Ｇ１中の領域を示す画像Ｇ１７を表示させることができる。
【０１２１】
ユーザーは、表示された拡大画像の表示態様を任意に変更することが可能である。例えば、ユーザーインターフェイス２４０は、拡大画像の表示位置、表示寸法、表示向き、拡大倍率などを変更するためのＧＵＩを含む。
【０１２２】
（Ｓ９：広画角ＯＣＴ画像と拡大画像を単一画像として保存）
ユーザーが操作部２４２を用いて画像保存操作を行うと、保存制御部２１４は、表示部２４１に表示された広画角ＯＣＴ画像（第１画像）と拡大画像（第２画像）とを単一の画像として記憶部２１２に保存する。
【０１２３】
例えば、図１０に示す表示状態のときに画像保存操作が行われると、保存制御部２１４は、ＯＣＴ画像表示領域２４１ａに表示されている広画角ＯＣＴ画像Ｇ１と拡大画像Ｇ１６とを、図１２に示す単一の画像Ｇ３として保存する。
【０１２４】
図１１に示すように拡大画像Ｇ１８がＯＣＴ画像表示領域２４１ａからはみ出しているときに画像保存操作が行われた場合、保存制御部２１４は、例えば、拡大画像Ｇ１８の位置、寸法、形状などを調整して、拡大画像Ｇ１８をＯＣＴ画像表示領域２４１ａ内に配置させる。このとき、関心領域の外部に拡大画像Ｇ１８を配置させることができる。保存制御部２１４は、このような処理の後に、広画角ＯＣＴ画像Ｇ１と拡大画像Ｇ１８とを単一の画像として保存することができる。
【０１２５】
〈作用・効果〉
例示的な実施形態の作用及び効果について説明する。
【０１２６】
例示的な実施形態に係る眼科装置（１）は、第１画像取得部と、第２画像取得部と、表示制御部とを含む。第１画像取得部は、被検眼（Ｅ）の断面を表す第１画像を取得する。第２画像取得部は、被検眼（Ｅ）の第２画像を取得する。表示制御部（２１３）は、第１画像取得部により取得された第１画像を表示手段に表示させ、且つ、第２画像取得部により取得された第２画像を第１画像上に表示させる。
【０１２７】
例示的な実施形態に係る眼科装置において、第１画像取得部は、被検眼（Ｅ）にＯＣＴを適用してデータを収集するデータ収集部（ＯＣＴユニット１００、正面画像取得部２内の測定アームなど）と、データ収集部により収集されたデータに基づいて第１画像を形成する画像形成部（２２０）とを含んでいてよい。
【０１２８】
例示的な実施形態に係る眼科装置において、第１画像取得部は、外部装置又は記録媒体から第１画像を受け付ける第１画像受付部を含んでいてよい。第１画像受付部は、例えば、前述した通信デバイス及びドライブ装置（リーダ／ライタ）のいずれかを含んでいてよい。
【０１２９】
例示的な実施形態に係る眼科装置において、第２画像取得部は、第１画像取得部により取得された第１画像を処理して第２画像を形成する画像処理部（２３２）を含んでいてよい。
【０１３０】
例示的な実施形態に係る眼科装置において、画像処理部（２３２）は、第１画像取得部により取得された第１画像の一部の拡大画像を第２画像として形成するように構成されていてよい。
【０１３１】
例示的な実施形態に係る眼科装置において、第２画像取得部は、外部装置又は記録媒体から第１画像を受け付ける第１画像受付部を含んでいてよい。第１画像受付部は、例えば、前述した通信デバイス及びドライブ装置（リーダ／ライタ）のいずれかを含んでいてよい。
【０１３２】
例示的な実施形態に係る眼科装置によれば、第１画像上に第２画像を表示させるように構成されているので、第２画像を表示させるためのエリアを、第１画像を表示させるためのエリアとは別に設ける必要がない。したがって、寸法に制限のある表示画面に複数の画像を効率的に表示させることが可能である。
【０１３３】
例示的な実施形態に係る眼科装置は、第１画像取得部により取得された第１画像の部分領域を設定する部分領域設定部（２３１）を更に含んでいてよい。表示制御部は、部分領域設定部により設定された部分領域上に第２画像を表示させるように構成されていてよい。
【０１３４】
このような構成によれば、第２画像が表示される第１画像中の領域を設定することが可能である。
【０１３５】
例示的な実施形態に係る眼科装置において、部分領域特定部（２３１Ａ）は、第１画像取得部により取得された第１画像を解析して関心領域を特定する関心領域特定部（２３１１Ａ）を含んでいてよい。更に、部分領域特定部（設定部２３１２Ａ）は、設定された関心領域の外部に部分領域を設定するように構成されていてよい。
【０１３６】
このような構成によれば、関心領域の外部に第２画像を表示することができるので、第１画像の観察を第２画像が邪魔する可能性が低い。
【０１３７】
例示的な実施形態に係る眼科装置において、第１画像取得部により取得された第１画像は、被検眼の少なくとも眼底及び硝子体の断面を表す断面像であってよい。更に、関心領域特定部は、この断面像中の眼底領域を関心領域として特定するように構成されていてよい。
【０１３８】
このような構成によれば、眼底領域の外部に第２画像を表示することができるので、第１画像による眼底の観察を第２画像が邪魔する可能性が低い。
【０１３９】
例示的な実施形態に係る眼科装置において、部分領域設定部（２３１Ｂ）は、第１画像取得部により取得された第１画像を解析して非関心領域を特定する非関心領域特定部（２３１１Ｂ）を含んでいてよい。更に、部分領域特定部（設定部２３１２Ｂ）は、設定された非関心領域の内部に部分領域を設定するように構成されていてよい。
【０１４０】
このような構成によれば、非関心領域の内部に第２画像を表示することができるので（つまり、関心領域の外部に第２画像を表示することができるので）、第１画像の観察を第２画像が邪魔する可能性が低い。
【０１４１】
例示的な実施形態に係る眼科装置において、第１画像取得部により取得された第１画像は、被検眼の少なくとも眼底及び硝子体の断面を表す断面像であってよい。更に、非関心領域特定部は、この断面像中の硝子体領域及び眼球外領域の少なくとも一方を非関心領域として特定するように構成されていてよい。
【０１４２】
このような構成によれば、硝子体領域や眼球外領域の内部に第２画像を表示することができるので（つまり、眼底領域の外部に第２画像を表示することができるので）、第１画像の観察を第２画像が邪魔する可能性が低い。
【０１４３】
例示的な実施形態に係る眼科装置において、表示制御部は、部分領域設定部により設定された第１画像中の部分領域の寸法に基づいて第２画像の表示寸法を変更するように構成されていてよい。
【０１４４】
このような構成によれば、第２画像が表示される第１画像中の部分領域の寸法に応じて、第２画像の表示寸法を自動で調整することが可能である。
【０１４５】
例示的な実施形態に係る眼科装置は、表示手段に表示された第１画像と第２画像とを単一の画像として記憶手段に保存する保存制御部（２１４）を更に含んでいてよい。
【０１４６】
このような構成によれば、ユーザーが観察した第１画像及び第２画像を観察時の表示態様で保存することができるので、事後的な閲覧の容易化を図ることが可能である。
【０１４７】
なお、表示手段は、例示的な実施形態に係る眼科装置に含まれてもよいし、含まれなくてもよい。表示手段は、例えば表示部２４１である。また、記憶手段は、例示的な実施形態に係る眼科装置に含まれてもよいし、含まれなくてもよい。記憶手段は、例えば記憶部２１２である。
【０１４８】
例示的な実施形態は、眼科装置を制御する方法を提供する。この眼科装置の制御方法は、被検眼の断面を表す第１画像を取得するステップと、被検眼の第２画像を取得するステップと、第１画像を表示するとともに第１画像上に第２画像を表示するステップとを含む。
【０１４９】
このような眼科装置の制御方法に対して、例示的な実施形態において説明された様々な処理のいずれかを適用することが可能である。
【０１５０】
例示的な実施形態は、このような制御方法を眼科装置に実行させるプログラムを提供する。また、このようなプログラムを記録したコンピュータ可読な非一時的記録媒体を作成することが可能である。この非一時的記録媒体は任意の形態であってよく、その例として、磁気ディスク、光ディスク、光磁気ディスク、半導体メモリなどがある。
【０１５１】
例示的な実施形態に係る方法、プログラム、及び記録媒体のいずれによっても、被検眼の複数の画像を効率的に表示することが可能である。
【０１５２】
以上に説明した構成は、この発明の実施態様の例に過ぎない。よって、この発明の要旨の範囲内における任意の変形（省略、置換、付加等）を施すことが可能である。
【符号の説明】
【０１５３】
１  眼科装置
１００  ＯＣＴユニット
２１０  制御部
２１２  記憶部
２１３  表示制御部
２１４  保存制御部
２２０  画像形成部
２３０  データ処理部
２３１、２３１Ａ、２３１Ｂ  部分領域設定部
２３１１Ａ  関心領域特定部
２３１１Ｂ  非関心領域特定部
２３１２Ａ、２３１２Ｂ  設定部
２３２  画像処理部
２４０  ユーザーインターフェイス
２４１  表示部
２４２  操作部
【図１】
2019154992.tif 000003
【図２】
2019154992.tif 000004
【図３】
2019154992.tif 000005
【図４Ａ】
2019154992.tif 000006
【図４Ｂ】
2019154992.tif 000007
【図４Ｃ】
2019154992.tif 000008
【図５】
2019154992.tif 000009
【図６】
2019154992.tif 000010
【図７】
2019154992.tif 000011
【図８】
2019154992.tif 000012
【図９】
2019154992.tif 000013
【図１０】
2019154992.tif 000014
【図１１】
2019154992.tif 000015
【図１２】
2019154992.tif 000016